(57)【特許請求の範囲】
【請求項１】
縦方向及びそれに直交する横方向と、肌対向面及びその反対側の非肌対向面とを有し、吸液性コアを有するパッド本体を含む男性用の尿取りパッドにおいて、
前記パッド本体は、前記縦方向において離間対向する第１及び第２端域と、前記横方向において離間対向する両側域と、前記両側域間に位置する中央域とを有し、
前記第１及び第２端域のうちの少なくとも前記第１端域には前記中央域を被覆するカバーシートが配置され、前記両側域には、前記縦方向へ延びる一対のバリアカフシートが配置されており、
前記バリアカフシートは、前記第１及び第２端域において前記パッド本体の前記肌対向面側に固定された両端固定部と、前記両端固定部間において前記縦方向へ延びる自由縁部とを有し、
前記自由縁部は、前記縦方向へ伸縮可能な収縮域と、前記収縮域の前記縦方向の外側に位置する非収縮域とを有し、
前記カバーシートは、非弾性のシート材料から形成されており、前記中央域を横断する内側縁部と、前記第１端域において前記バリアカフシートに固定された両固定側縁部と、前記両固定側縁部間に位置する前記パッド本体に固定された中央固定部と、前記両固定側縁部と前記中央固定部との間に画定された前記中央域を被覆する被覆部とを有し、
前記被覆部と前記パッド本体との間には、前記カバーシートの前記内側縁部を開口縁部とする尿を収容可能な空間部が形成されており、
前記収縮域による収縮作用が前記開口縁部まで及ぶことを特徴とする前記尿取りパッド。
【請求項２】
前記収縮域が、前記バリアカフシートにおける前記カバーシートに積層された部分まで延びており、
前記バリアカフシートの前記非収縮域が、前記カバーシートの前記両固定側縁部に固定される請求項１に記載の尿取りパッド。
【請求項３】
前記両固定側縁部において、前記カバーシートは前記バリアカフシートの前記肌対向面側に固定されている請求項１又は２に記載の尿取りパッド。
【請求項４】
前記パッド本体と前記バリアカフシートとは、前記第２端域から前記第１端域に向かって次第に幅狭となる形状を有する請求項１〜３のいずれかに記載の尿取りパッド。
【請求項５】
前記パッド本体には、前記第２端域において前記バリアカフシートに固定された第２のカバーシートをさらに有する請求項１〜４のいずれかに記載の尿取りパッド。
【請求項６】
前記カバーシートは、前記バリアカフシートに比してカンチレバー剛軟度による剛性が高い請求項１〜５のいずれかに記載の尿取りパッド。
【請求項７】
前記バリアカフシートの前記収縮域には、ストリング状又はストランド状の弾性要素が取り付けられる請求項１〜６のいずれかに記載の尿取りパッド。
【請求項８】
前記パッド本体は、前記縦方向における前記第１端域及び前記第２端域の間に位置する中間域と、前記肌対向面側に位置する透液性の身体側ライナと、前記中間域の前記バリアカフシートの前記内側縁部間において前記身体側ライナと前記吸液性コアと前記肌対向面側から前記非肌対向面側へ向かって凹とする折曲案内溝とをさらに有する請求項１〜７のいずれかに記載の尿取りパッド。
【請求項９】
前記カバーシートの前記被覆部の前記縦方向における寸法は、前記パッド本体の前記縦方向における寸法の約５％以上であって、前記収縮域の前記縦方向における寸法は前記被覆部の前記縦方向における寸法の約５０％以下である請求項１〜８のいずれかに記載の尿取りパッド。
【請求項１０】
前記吸液性コアは、前記第１及び第２端域のうちの少なくとも前記第１端域において前記中間域よりも肉厚であって、前記第１端域と前記中間域との境界付近には前記吸液性コアの厚さ寸法が変化する部分が位置しており、前記カバーシートの前記開口縁部は前記厚さ寸法が変化する部分と対向して位置する請求項８又は９に記載の尿取りパッド。
【請求項１１】
前記横方向へ延びる少なくとも１つの折曲線をさらに有し、前記折曲線は前記バリアカフシートと交差し、前記カバーシートとは交差しない請求項１〜１０のいずれかに記載の尿取りパッド。
【請求項１２】
前記吸液性コアは、前記第２端域から前記第１端域に向かって次第に幅狭となる形状を有し、前記第１端域における前記吸液性コアの側縁と前記パッド本体の側縁との前記横方向における離間寸法は、前記第２端域における前記吸液性コアの側縁と前記パッド本体の側縁との離間寸法よりも大きい請求項４に記載の尿取りパッド。
【請求項１３】
前記バリアカフシートは、前記中間域において前記パッド本体の両側縁に沿って延びる近位固定部をさらに有し、前記近位固定部は前記第２端域側の幅寸法が前記第１端域側の幅寸法よりも大きい請求項８〜１２に記載の尿取りパッド。
【発明の詳細な説明】
【技術分野】
【０００１】
本発明は、男性の性器に着用される男性用の尿取りパッドに関する。
【背景技術】
【０００２】
従来、男性用の尿取りパッドは公知である。例えば、特許文献１に開示の男性用の尿取りパッドは、吸液性を有するパッド本体と、弾性を有する外周バリアカフシートに囲まれて画定された性器を挿入する開口と、性器が収容されるスペースとを有する。
【先行技術文献】
【特許文献】
【０００３】
【特許文献１】実開平８−１０５８号公報
【発明の概要】
【発明が解決しようとする課題】
【０００４】
特許文献１に開示の男性用の尿取りパッドによれば、弾性を有する外周バリアカフシートに囲まれた開口（挿入口）に性器を挿入することによって、性器が弾性的に締め付けられて外周バリアカフシートの開口周縁部がフィットし、性器とバリアカフシートとの間に体液の漏れの原因となるような隙間が形成されることはない。
【０００５】
しかし、外周バリアカフシートは、開口周縁部に配置された弾性部材によって弾性が付与されているものであることから、着用者が着用するときに、パッドを掴んでその幅方向に力を加えると、弾性部材が収縮されて開口が小さくなり、着用操作がし難くなるおそれがある。また、着用中に、着用者の大腿部間に挟まれることによって、外周バリアカフシートが弾性変形して開口の所要の大きさ、形状が変化して、尿を十分に収容しうるような収容スペースが形成されないおそれがある。
【０００６】
本発明の課題は、従来の技術の改良であって、体液を一時的に貯留しうる空間部を有し、体液の漏れ防止に優れた男性用尿取りパッドの提供に関する。
【課題を解決するための手段】
【０００７】
上記課題を達成するために、本発明が対象とするのは、縦方向及びそれに直交する横方向と、肌対向面及びその反対側の非肌対向面とを有し、吸液性コアを有するパッド本体を含む男性用の尿取りパッドである。
【０００８】
本発明は、上記男性用尿取りパッドにおいて、前記パッド本体は、前記縦方向において離間対向する第１及び第２端域と、前記横方向において離間対向する両側域と、前記両側域間に位置する中央域とを有し、前記第１及び第２端域のうちの少なくとも前記第１端域には前記中央域を被覆するカバーシートが配置され、前記両側域には、前記縦方向へ延びる一対のバリアカフシートが配置されており、前記バリアカフシートは、前記第１及び第２端域において前記パッド本体の前記肌対向面側に固定された両端固定部と、前記両端固定部間において前記縦方向へ延びる自由縁部とを有し、前記自由縁部は、前記縦方向へ伸縮可能な収縮域と、前記収縮域の前記縦方向の外側に位置する非収縮域とを有し、前記カバーシートは、非弾性のシート材料から形成されており、前記中央域を横断する内側縁部と、前記第１端域において前記バリアカフシートに固定された両固定側縁部と、前記両固定側縁部間に位置する前記パッド本体に固定された中央固定部と、前記両固定側縁部と前記中央固定部との間に画定された前記中央域を被覆する被覆部とを有し、前記被覆部と前記パッド本体との間には、前記カバーシートの前記内側縁部を開口縁部とする尿を収容可能な空間部が形成されており、前記収縮域による収縮作用が前記開口縁部まで及ぶことを特徴とする。
【発明の効果】
【０００９】
本発明に係る男性用尿取りパッドの一つ以上の実施形態によれば、バリアカフシートの自由縁部が起立することによってそれに固定されたカバーシートも上方へ移動し、カバーシートとパッド本体との間に体液を貯留しうる空間部が形成される。自由縁部の収縮域が開口端部まで延びていることによって、開口が比較的に大きく形成される。また、カバーシートは、弾性を有さないものであるため、着用状態において、カバーシートを含む部分が着用者の大腿部間に挟まれたとしても、カバーシートが変形して空間部の容積が小さくなることはない。
【図面の簡単な説明】
【００１０】
図面は、本発明の特定の実施の形態を示し、発明の不可欠な構成ばかりでなく、選択的及び好ましい実施の形態を含む。
【図１】本発明の第１実施形態に係る男性用の尿取りパッドの斜視図。
【図２】本発明の第１実施形態における尿取りパッドの一部破断平面図。
【図３】尿取りパッドの裏面側の一部破断平面図。
【図４】図２のＩＶ−ＩＶ線に沿う模式的断面図。
【図５】図１のＶ−Ｖ線に沿う模式的断面図。
【図６】カフ弾性要素の収縮力が作用している尿取りパッドの模式的断面図。
【図７】着用状態における尿取りパッドを内面側（肌対向面側）から視た斜視図。
【図８】図７のＶＩＩＩ−ＶＩＩＩ線に沿う模式的断面図。
【図９】図２の第１端域側の一部拡大図。
【図１０】図２の第２端域側の一部拡大図。
【図１１】第１実施形態の尿取りパッドの変形例を示す図９と同様の図。
【図１２】第１実施形態の尿取りパッドの別の変形例を示す図９と同様の図。
【図１３】第２実施形態における尿取りパッドの平面図。
【図１４】第３実施形態における尿取りパッドの平面図。
【図１５】第４実施形態における尿取りパッドの平面図。
【図１６】第５実施形態における図５と同様の模式的断面図。
【図１７】第６実施形態における図９と同様の図。
【発明を実施するための形態】
【００１１】
下記の実施形態は、図１〜１７に示す男性用尿取りパッドに関し、発明の不可欠な構成ばかりではなく、選択的及び好ましい構成を含む。
【００１２】
＜第１実施形態＞
図１〜５は、本発明に係る男性用尿取りパッド１０の一例を示す。なお、図１〜５では、後記カフ弾性要素５３の収縮力が作用していない状態（弛緩状態）を示す。尿取りパッド１０は、尿取りパッド１０の横方向Ｘの寸法を２等分する縦軸Ｐに平行な縦方向Ｙと、尿取りパッド１０の横軸Ｑに平行な横方向Ｘと、縦方向Ｙ及び横方向Ｘにそれぞれ直交する厚さ方向Ｚと、肌対向面及びその反対側の非肌対向面とを有する。尿取りパッド１０は、縦軸Ｐに関して対称に形成されるとともに、縦方向Ｙにおいて互いに対向する曲状の第１端縁１０ａ及び第２端縁１０ｂと、それらの間において縦方向Ｙへ延びる両側縁１０ｃ，１０ｄとによって画定される。
【００１３】
尿取りパッド１０は、第１端縁１０ａ側に位置する第１端域１１と、第２端縁側１０ｂに位置する第２端域１２と、それらの間に位置する中間域１３とを有する。第２端縁１０ｂは、第１端縁１０ａよりも緩やかな曲状であって、横方向Ｘの寸法が大きく、第２端域１２は第１端域１１よりも幅広に形成される。尿取りパッド１０は、かかる平面視形状のほかに、後記の本発明の効果を奏する限りにおいて、円形や矩形状などの各種公知の平面視形状であってもよい。図８を参照すると、尿取りパッド１０の第１端域１１は着用者の股下部（陰嚢４１の下方）、第２端域１２は下腹部、中間域１３は陰茎４０にそれぞれ当接される。
【００１４】
尿取りパッド１０は、その全体形態をなすパッド本体２０と、パッド本体２０の肌対向面における両側域１４に配置された一対のバリアカフシート５０と、バリアカフシート５０の肌対向面側に固定されたカバーシート６０とを含む。カバーシート６０は、第１端域１１においてバリアカフシート５０間に位置するパッド本体２０を被覆する第１カバーシート６１と、第２端域１２においてバリアカフシート５０間に位置するパッド本体２０を被覆する第２カバーシート６２とを有する。パッド本体２０と、バリアカフシート５０及びカバーシート６０とは、尿取りパッド１０の外周縁に沿って延びる熱溶着手段によって形成されたシール部１８によって互いに積層された状態で固定される。また、尿取りパッド１０は、パッド本体２０の吸液性コア２３の外周縁から延出するシート５０，６０をシール部１８によって互いに接合することによって形成された、吸液性コア２３の側縁２３ｃ，２３ｃの横方向Ｘの外側において縦方向Ｙへ延びるサイドフラップと、吸液性コア２３の端縁２３ａ，２３ｂの縦方向Ｙの外側において横方向Ｘへ延びるエンドフラップとを有する。
【００１５】
＜パッド本体＞
パッド本体２０の縦方向Ｙの寸法Ｌ１は約１６０〜３５０ｍｍ、横方向Ｘの寸法Ｗ１（第２端縁１０ｂの横方向Ｘの寸法）は１６０〜３００ｍｍである。既述のとおり、パッド本体２０は、説明の便宜上、縦方向Ｙにおいて、第１及び第２端域１１，１２と中間域１３とに区分されており、横方向Ｘにおいて両側域１４と中央域１５とに区分される。両側域１４は、少なくともバリアカフシート５０の内側縁５０aよりも横方向Ｘの外側の部分を意味し、第１及び第２端域１１，１２は、それぞれ、第１及び第２カバーシート６１，６２に被覆された部分を意味する。
【００１６】
パッド本体２０は、肌対向面側に位置する身体側ライナ２１と、非肌対向面側に位置する裏面シート２２と、身体側ライナ２１と裏面シート２２との間に位置する吸液性コア２３とを含む。また、身体側ライナ２１と吸液性コア２３との間には、オプションとして、クッションシート２４が配置される。
【００１７】
身体側ライナ２１及びクッションシート２４は、例えば、透液性を有する繊維不織布から形成されており、質量約１５〜４０ｇ／ｍ２の親水性スパンボンド繊維不織布またはポイントボンド繊維不織布等の各種公知の繊維不織布を用いることができる。裏面シート２２は、難透液性又は不透液性の繊維不織布、通気性プラスチックフィルム又はそれらのラミネートシートから形成されており、繊維不織布から形成される場合には、例えば、質量約１０〜３０ｇ／ｍ２のスパンボンド・メルトブローン・スパンボンド（ＳＭＳ）繊維不織布、スパンボンド繊維不織布、メルトブローン繊維不織布等を用いることができる。
【００１８】
クッションシート２４は、クッション性を向上させるために身体側ライナ２１よりも嵩高であって、バリアカフシート５０間に位置する身体側ライナ２１が露出した中央域１５には、身体側ライナ２１を介して透視される着色要素を配置してもよい。クッションシート２４の中央域１５に着色要素が配置される場合には、着用者がパッド本体２０の内面に陰茎を宛がうときに、陰茎を該中央域１５と当接する位置に容易に配置することができる。尚、クッションシート２４は、そのクッション機能の他に、身体側ライナ２１への一旦吸収された尿の逆流を抑制する機能をも有する材料を用いることが好ましい。
【００１９】
吸液性コア２３は、パッド本体１０とほぼ同形に賦型されたものであって、木材フラッフパルプ、超吸収性ポリマー粒子（ＳＡＰ）、オプションとして熱可塑性繊維を含む混合物から形成された吸収性の芯材と、芯材を包被するティッシュペーパ等の液拡散性シートとを含む。
【００２０】
図３を参照すると、尿取りパッド１０の裏面側、すなわち、裏面シート２２の外面（非肌対向面）には、下着等の着衣に尿取りパッド１０を取り付けるための、感圧性接着剤から形成された、縦方向Ｙへ延びる複数条の留付部３０が配置される。留付部３０は、横軸Ｑと交差して第１端域１１から第２端域１２へ延びる中央留付部３１と、第２端域１２側において中央留付部３１の両側に位置するサイド留付部３２とを有する。中央留付部３１及びサイド留付部３２は、プラスチック製又は繊維不織布製のセパレータ３３で被覆される。
【００２１】
図４を参照すると、吸液性コア２３は、横方向Ｘの中央に配置された中央域３５と、横方向Ｘの両側に配置された両側域３６とを有する。吸液性コア２３の中央域３５の厚さは、両側域３６のそれよりも大きくなっており、中央域３５と両側域３６との間の境界近傍では、両側域３６から中央域３５へ向かって吸液性コア２３の厚さが次第に大きくなるように変化している。このように、吸液性コア２３の中央域３５が両側域３６に比して肉厚であって単位面積当たりの質量が大きくなっていることによって、中央域３５は両側域３６よりもより高い吸収力を発揮しうる。
【００２２】
中央域３５及び両側域３６の厚さが相対的に異なる吸液性コア２３の形態は、例えば、下記の方法で得ることができる。すなわち、（１）吸液性コア２３の形態と相似形の型枠にコア材料を散布充填して形成する方法、（２）吸液性コア２３の形態と相似形の型枠を適宜厚さのコア材料に押圧して形成する方法、（３）コア材料を両側域３６に相当する部分に相対的に強い圧力が加わるようにされた型枠によって形成する方法、（４）前記コア材料を相対的に広幅と狭幅の二つの層に形成し、該広幅層の中央域に該狭幅層を一体的に積層して形成する方法等が挙げられる。方法（１）及び（４）においては、中央域３５及び両側域３６の密度（ｇ／ｃｍ３）を実質的に等しくすることができ、方法（２）及び（３）においては、両側域３６の密度（ｇ／ｃｍ３）を中央域３５のそれらよりも大きくすることができる。尚、必要に応じて、中央域３５の単位面積当たりの質量（ｇ／ｍ２）を両側域３６のそれらよりも大きくすることができる。
【００２３】
図５を参照すると、縦方向Ｙにおいて、吸液性コア２３の両端縁部２３ａ，２３ｂは肉薄に形成されている。既述のとおり、横方向Ｘにおいて、吸液性コア２３の両側域３６は、中央域３５に比して肉薄に形成されるため（図４参照）、吸液性コア２３の外周縁全体は比較的に肉薄であって、該外周縁に隣接するエンドフラップ及びサイドフラップとにおける急激な厚さの変化（段差）を抑制することができる。したがって、大きな段差によって吸液性コア２３の外形輪郭が尿取りパッド１０を取り付けた下着の外面に凸状に現れることはなく、尿取りパッド１０の外周縁部を着用者の身体によりフィットさせることができる。
【００２４】
＜バリアカフシート＞
バリアカフシート５０は、第２端縁１０ｂから第１端縁１０ａに向かって次第にテーパとなる縦方向Ｙへ延びる形状を有し、難透液性又は不透液性の繊維不織布、例えば、質量約２０ｇ／ｍ２のスパンボンド繊維不織布から形成することができる。バリアカフシート５０は、両側縁１０ｃ，１０ｄに沿って延びてパッド本体２０に固定された近位縁部５７（図２参照）と、第１及び第２端域１１，１２においてパッド本体２０に固定された固定両端部５８と、固定両端部５８間において縦方向Ｙへ延びるバリアカフシート５０の内側縁を内方へ折り返すことによって形成されたスリーブ状の自由縁部（遠位縁部）５２とを有する。近位縁部５７と固定両端部５８とはシール部１８の一部であって、すなわち、バリアカフシート５０は、自由縁部５２を除くその外周全体がシール部１８を介してパッド本体２０に固定されている。
【００２５】
バリアカフシート５０の自由縁部５２には、縦方向Ｙへ延びるストリング状又はストランド状のカフ弾性要素（弾性伸縮部材）５３が伸長状態で収縮可能に固定される。自由縁部５２は、着用状態において、カフ弾性要素５３の収縮作用によって身体側ライナ２１の肌対向面から離間し、尿の横漏れを防止するための一対のバリアカフ（立体カフ）が形成される。カフ弾性要素５３には、例えば、太さ（線径）が約９４０ｄｔｅｘであって、収縮または弛緩された状態から約１．２〜１．５倍に伸長されて固定された弾性材料を用いることができる。
【００２６】
バリアカフシート５０の自由縁部５２は、カフ弾性要素５３が伸長状態で配置された収縮域５４と、カフ弾性要素５３が実質的に非弾性化された状態で配置された非収縮域（低収縮域）５５とを有する（図９，１０参照）。バリアカフシート５０は、第１及び第２カバーシート６１，６２の一部と互いに重なっており、非収縮域５５は、後記の両固定側縁部６６，６７を介してカバーシート６０に固定されている。尿取りパッド１０の着用状態において、自由縁部５２の収縮域５４が収縮することによって、実質的にバリアカフが起立する。
【００２７】
ここで、「実質的に非弾性化された」とは、カフ弾性要素５３が切断、除去されて実質的に存在していない場合と、カフ弾性要素５３が該領域に存在するが、収縮性を発現しない場合とを意味し、また、カフ弾性要素５３が該領域に存在する場合において、僅かに収縮性を発現しうる場合を含む。したがって、カフ弾性要素５３の収縮力の相違によって、収縮域５４を高収縮域、非収縮域５５を低収縮域と称することもできる。
【００２８】
＜カバーシート＞
第１及び第２カバーシート６１，６２は、非弾性のシート材料から形成されており、例えば、難透液性又は不透液性の繊維不織布、通気性プラスチックフィルム又はそれらのラミネートシートから形成することができる。第１及び第２カバーシート６１，６２が繊維不織布から形成される場合には、例えば、質量約１０〜３０ｇ／ｍ２のスパンボンド・メルトブローン・スパンボンド（ＳＭＳ）繊維不織布、スパンボンド繊維不織布、メルトブローン繊維不織布等を用いることができる。第１及び第２カバーシート６１，６２は、それぞれ、バリアカフシート５０の内側縁５０ａ間において横方向Ｘへ延びる内側縁部（自由縁部）６１ａ，６２ａを有する。
【００２９】
第１及び第２カバーシート６１，６２は、それぞれ、バリアカフシート５０に固定された両固定側縁部６６，６７と、両固定側縁部６６，６７間において第１及び第２端縁１０ａ，１０ｂ側に位置する中央固定部６８，６９と、両固定側縁部６６，６７と中央固定部６８，６９とによって囲まれた、パッド本体２０を被覆する被覆部７０，７１とを有する。図６に示すとおり、バリアカフシート５０が起立することによって第１及び第２カバーシート６１，６２の被覆部７０，７１は、身体側ライナ２１から離間して被覆部７０，７１と身体側ライナ２１との間には、それぞれ、第１空間部（体液貯留スペース）７２及び第２空間部７３が形成される。
【００３０】
図６を参照すると、尿取りパッド１０を平坦な床等に置いた状態において、収縮域５４は収縮されて縦方向Ｙにおいて直状に延び、パッド本体２０は全体的に湾曲状を呈する。一方、非収縮域５５においてはカフ弾性要素５３が非弾性化されているので、収縮域５４と非収縮域５５の境界には屈曲部位５６が形成される。パッド本体２０がかかる形態をなすことによって、後記の第１及び第２カバーシート６１，６２の第１及び第２空間部７２，７３は開口から第１及び第２端縁１０ａ，１０ｂに向かう従って次第に高さ寸法が小さくなっている。
【００３１】
図１を参照すると、バリアカフシート５０の内側縁５０ａと第１及び第２カバーシート６１，６２の内側縁部６１ａ，６２ａとによって、着用者の陰茎が挿入される挿入口６３が画定される。バリアカフシート５０はカフ弾性要素５３の収縮作用によって身体側ライナ２１から離間するように起立し、バリアカフシート５０が起立することによってその上面側（肌対向面側）に固定されたカバーシート６０がその起立に伴って上方へ移動する。なお、本実施形態においては、カバーシート６０がバリアカフシート５０の上面に固定されることによって、その起立によって確実に上方へ移動することができるが、バリアカフシート５０の下面、すなわち、身体側ライナ２１と対向する面（非肌対向面）に固定されていてもよい。かかる場合であっても、バリアカフシート５０とカバーシート６０とが固定されているため、バリアカフシート５０の収縮力によってカバーシート６０の内側縁部６１ａ，６２ａを上方へ移動させることができる。
【００３２】
図７，８を参照すると、着用者が尿取りパッド１０を着用する際には、挿入口６３に陰茎４０を挿入する。陰嚢４１は第１端域１１の上面に当接又はそれに離間して位置する。パッド本体２０は、着用状態において、全体として着用者の身体に宛がわれて湾曲状を呈し、両側域１４によって形成された側壁と中間域１３から形成された底壁とによって画定された陰茎４０を包み込むように収容しうる収容スペースＳが形成される。
【００３３】
尿取りパッド１０の着用中に排泄された尿は、吸液性コア２３全体に拡散される。また、尿取りパッド１０全体が湾曲状を呈することによって、カフ弾性要素５３が伸長されてバリアカフシート５０が起立して立体カフが形成され、尿の横漏れを効果的に防止しうる。また、立体カフの起立によってその上面に位置する第１及び第２カバーシート６１，６２が身体側ライナ２１から離間して、それらの間には第１及び第２空間部７２，７３が形成される。第２空間部７３が形成されることによって、陰茎４０の先端が上方を向いた状態（第２端縁１０ｂ側へ向いた状態）であっても尿道口から排泄された尿流が第２カバーシート６２の内面に当たるので、第２空間部７３は尿が尿取りパッド１０の外部に排泄されるのを防止するための（上方）防漏壁（防漏空間）としての機能を果たす。
【００３４】
また、第１カバーシート６１による第１空間部７２が形成されることによって、陰茎４０の先端が下方へ向いた状態（第１端縁１０ａ側へ向いた状態）であって、尿道口が着用者の股下部に沿って屈曲された第２端域１１と対向する場合には、尿道口から排泄された尿流が第１カバーシート６１の内面に当たるので、第１空間部７２は尿が第１端縁１０ａを越えて外部に漏れ出るのを防ぐための（下方）防漏壁（防漏空間）としての機能を果たすとともに、その内部に進入した尿を一時的に収容して吸収する機能をも有する。
【００３５】
図９，１０を参照すると、既述のとおり、バリアカフシート５０と第１及び第２カバーシート６１，６２とは互いに重なっており、バリアカフシート５０の自由縁部５２における収縮域５４は、第１及び第２カバーシート６１，６２の内側縁部（開口縁部）６１ａ，６２ａよりも縦方向Ｙの外側へ延出している。自由縁部５２は、バリアカフシート５０と第１及び第２カバーシート６１，６２とが互いに重なる積層部分７４において、収縮域５４と非収縮域５５とを有する。
【００３６】
このように、バリアカフシート５０と第１及び第２カバーシート６１，６２とが互いに重なる積層部分７４において、内側縁部６１ａ，６２a側の部分に収縮域５４が位置することによって、着用状態において、バリアカフシート５０がカフ弾性要素５３の収縮力によって起立したときに、その上面に位置する第１及び第２カバーシート６１，６２の内側縁部６１ａ，６２ａ近傍（開口縁部）が身体側ライナ２１から離間して、上方へ凸となる形状を有する。したがって、該開口縁部にカフ弾性要素５３の収縮力が作用しない場合や収縮域５４が、積層部分７４において第１及び第２カバーシート６１，６２に固定されてその収縮力が低減されている場合に比して、比較的に大きな開口を形成することができる。
【００３７】
一方、第１及び第２カバーシート６１，６２全体が弾性を有する場合には、それらに対して横方向Ｘにおける寸法を小さくしようとする力が加えられたときに、変形して空間部７２，７３が閉じてしまうおそれがある。特に、第１カバーシート６１は、着用状態において着用者の大腿部間に挟まれてその横方向Ｘにおける寸法を小さくしようとする力が作用するので、被覆部７０が弾性変形して第１空間部７２の容積が小さくなるおそれがある。本実施形態においては、開口縁部に収縮域５４を延在させることによって開口を比較的に大きく形成することができる一方、被覆部７０，７１の両側において非収縮域５５が位置することによって被覆部７０，７１の変形を防止し、安定的に所要の容積を有する空間部７２,７３を形成することができる。
【００３８】
また、既述のとおり、パッド本体２０は第２端縁１０ｂから第１端縁１０ａ側へ向かって次第に幅狭となる形状を有し、第１端域１１において第２端域１２よりも収縮域５４の収縮力によって中間域１３の肌対向面側に向かって湾曲し易くなっていることから、身体側ライナ２１の表面を伝って第２空間部７３に流れ込んできた尿を吸収することできる。すなわち、第１端域１１におけるバリアカフシート５０の横方向Ｘの寸法（バリアカフシート５０の内側縁５０ａとシール部１８との横方向Ｘにおける離間寸法）が、第２端域１２におけるそれよりも小さいことから、第１端域１１においてはシール部１８の位置する両側縁１０ｃ，１０ｄまで収縮域５４の収縮力が作用してその全体を湾曲させることができる一方、第２端域１２は比較的に該離間寸法が大きいので、シール部１８近傍まで収縮域５４の収縮力が作用せず、その全体が第１端域１１のように湾曲することはできない。
【００３９】
このように、第１及び第２端域１１，１２は、それらが肌対向面側へ折曲される（湾曲される）ことによって、収縮域５４の縦方向Ｙの寸法（両固定側縁部６６、６７間の縦方向Ｙにおける離間寸法）Ｌ２が縮められ、それに伴い収縮域５４が収縮してカバーシート６０が上方へ移動されるので、その結果として、身体側ライナ２１とカバーシート６０との離間距離が僅かに大きくなり、第１及び第２空間部７２，７３の開口が拡がることになる。
【００４０】
＜伸長力＞
自由縁部５２において、収縮域５４の所定幅における伸長力は、非収縮域（又は低収縮域）５５の所定幅における伸長力の約１．１〜１．８倍である。かかる値が１．１倍以下の場合には、着用状態において、バリアカフシート５０が起立しても第１及び第２カバーシート６１，６２が十分な大きさを有する開口を形成しうる程度に身体側ライナ２１から離間することができない。一方、１．８倍以上の場合には、バリアカフシート５０が縦方向Ｙに比較的に強く収縮してその縦方向Ｙにおける寸法が小さくなり過ぎて、挿入口６３の外形が小さくなるとともに、挿入口６３に挿入された陰茎を締め付けて不快感を与えるおそれがある。
【００４１】
カバーシート６０の各種寸法について述べると、第１及び第２カバーシート６１，６２の縦方向Ｙの長さ寸法Ｌ３，Ｌ４は、パッド本体２０の縦方向Ｙの寸法Ｌ１の約１／１０〜１／３である。本実施形態においては、第１カバーシート６１の縦方向Ｙの寸法Ｌ３が、第２カバーシート６２の縦方向Ｙの寸法Ｌ４より大きく、前者は約８０ｍｍ、後者は約４０ｍｍである。
【００４２】
第１カバーシート６１の被覆部７０の縦方向Ｙの寸法Ｌ５は約４０ｍｍであって、パッド本体２０の縦方向Ｙの寸法Ｌ１に対して約５〜３５％の大きさを有する。５％より小さい場合には、開口を形成するための高さが十分でなく、３５％より大きい場合には、第１空間部７２に尿が収容限度まで貯留されると中央固定部６８の固定が解除されて尿が漏れるおそれがあるためである。第１カバーシート６１の積層部分７４における収縮域５４の縦方向Ｙにおける長さ寸法Ｌ６は、第１カバーシート６１の縦方向Ｙの寸法Ｌ３に対して約１０％の大きさを有する。第２カバーシート６２の被覆部７１の縦方向Ｙの寸法Ｌ７は約２０ｍｍであって、パッド本体２０の縦方向Ｙの寸法Ｌ１に対して約５〜３５％の大きさを有する。第２カバーシート６２の積層部分７４における収縮域５４の縦方向Ｙにおける寸法Ｌ８は約５ｍｍであって、第２カバーシート６２の縦方向Ｙの寸法Ｌ４に対して約１２．５％の大きさを有する。
【００４３】
第１及び第２カバーシート６１，６２の被覆部７０，７１の縦方向の寸法Ｌ５，Ｌ７は、第１及び第２空間部７２，７３の容積、特に、その縦方向Ｙにおける寸法（開口縁部から閉鎖縁へ向かう深さ寸法）に大きく影響するものであって、例えば、第１及び第２カバーシート６１，６２の被覆部７０，７１の縦方向Ｙの寸法Ｌ５，Ｌ７がパッド本体２０の縦方向Ｙの寸法Ｌ１の約５％以上の大きさであれば、第１及び第２空間部７２，７３の容積が比較的に大きく形成される。したがって、着用中に、上下に十分な大きさの防漏壁が形成され、尿が外部に漏れ出るのを確実に防止することができるとともに、第１空間部７２においては一定量の尿を収容することができる。一方、第１及び第２カバーシート６１，６２の被覆部７０，７１の縦方向Ｙの寸法Ｌ５，Ｌ７が、パッド本体２０の縦方向Ｙの寸法Ｌ１の約３７．５％以上の大きさの場合には、第１及び第２空間部７２，７３を含めた収容スペースＳ全体の容積が比較的に大きくなりすぎて陰茎４０がフィットされず、パッド本体２０と陰茎４０との間に隙間が生じるおそれがある。また、積層部分７４における収縮域５４の縦方向Ｙの寸法Ｌ６，Ｌ８は、第１及び第２カバーシート６１，６２の被覆部７０，７１の縦方向Ｙの寸法Ｌ５，Ｌ７の５０％以下であることが好ましい。５０％以上の場合には、着用状態において、内側縁部６１ａ，６２ａがさらに上方へ凸状に起立して開口が拡げられる一方、積層部分７４における収縮域５４の割合が比較的に高くなってカバーシート６０が弾性を有することになるので、横方向Ｘから加えられる外力に抗することができず、弾性変形してしまうおそれがあるからである。
【００４４】
再び、図３を参照すると、吸液性コア２３はパッド本体２０の外形と同様に第２端域１２から第１端域１１に向かって次第に幅狭（テーパ）になる形状を有しており、かつ、パッド本体２０の形状よりもテーパ度合いが高くなっている。したがって、吸液性コア２３の側縁２３ｃとパッド本体２０の側縁１０ｃ，１０ｄとの横方向Ｘにおける離間寸法Ｒ１，Ｒ２は、第１端域１１に近接する側の離間寸法Ｒ１が、第２端域に近接する側の離間寸法Ｒ２よりも大きくなっている。ここで、着用状態において、尿取りパッド１０は全体的に湾曲状を呈し、陰茎を包み込むように位置する側壁は尿取りパッド１０の両側域１４によって形成されるものであって、該側壁の高さは、吸液性コア２３の側縁から尿取りパッド１０の側縁１０ｃ，１０ｄまでの横方向Ｘの離間寸法Ｒ１，Ｒ２に相当する。よって、第１端域１１においては第２端域１２よりも高さ寸法の大きな側壁が形成され、陰茎を下方から包み込むように確実に収容することができる。
【００４５】
第１及び第２カバーシート６１，６２は、バリアカフシート５０よりも高い剛性を有する。具体的には、カンチレバー法によるカバーシート６０の剛軟度は約７０ｍｍ、バリアカフシート５０のカンチレバー方による剛軟度は４０ｍｍであって、カバーシート６１，６２の剛軟度は、バリアカフシート５０の剛軟度の約１．５〜３．０倍である。
【００４６】
カバーシート６０の剛性がバリアカフシート５０の剛性よりも高いことによって、尿取りパッド１０にそれを横方向Ｘにおいて縮めようとする外力が作用した場合において、バリアカフシート５０がかかる外力によって変形しても、カバーシート６０はその外力に抗して変形せず、挿入口６３が小さくなることを防止することができる。また、バリアカフシート５０をそれよりも剛性の高いカバーシート６０に固定することよって、それらの両固定側縁部６６，６７における非収縮域５５の伸縮力をさらに低減させ、カフ弾性要素５３の収縮力が作用して両固定側縁部６６からバリアカフシート５０が剥離するのを効果的に防止しうる。
【００４７】
既述のとおり、カバーシート６０のカンチレバー剛軟度による剛性値がバリアカフシート５０のそれよりも約１．５〜３．０倍である。かかる剛性値の相関関係において、前者の後者に対する剛性値の大きさが約１．５倍以下の場合には、前者に対して後者を変形させるほどの横方向Ｘにおける外力が加えられたときに、前者が屈曲、変形して開口が小さくなるおそれがある。一方、前者に対する後者の剛性値の大きさが約３．０以上の場合には、前者の剛性値が比較的に大きくなりすぎて、それに触れた着用者に違和感を与えるとともに、肌を刺激して肌トラブルを発生するおそれがある。
【００４８】
＜カンチレバー剛軟度の測定方法＞
ＪＩＳＬ１０９６のカンチレバー法に準拠し、バリアカフシート５０及びカバーシート６０に用いるシートからサンプル（横方向Ｘの寸法１５０ｍｍ、縦方向Ｙの寸法２５ｍｍ）を打ち抜き、各サンプルの肌対向面及び非肌対向面を測定した。シートの移動速度は５ｍｍ／ｓｅｃである、肌対向面で剛軟度を１回測定し、非肌対向面で剛軟度を１回測定し、それらの剛軟度の平均値を、シートの剛軟度の値（ｍｍ）とした。
【００４９】
本実施形態及び以下の各実施形態において、パッド本体２０の縦方向Ｙの両端部にカバーシート６０を配置するもので説明したが、本発明はこれに限られず、縦方向Ｙの第１及び第２端域１１，１２の一方にのみカバーシート６０を配置してもよい。また、バリアカフシート５０の自由縁部５２には、糸状のカフ弾性要素５３を伸長状態で収縮可能に配置することによって弾性を付与しているが、本発明はこれに限られず、例えば縦方向Ｙへ伸縮可能な伸縮性を有する繊維不織布をバリアカフシート５０に固定してもよい。各シートを固定する場合には、例えば、ホットメルト接着剤を少なくとも一方のシートに塗布し、ホットメルト接着剤を介してそれらを互いに接合してもよいし、熱可塑性の繊維不織布のシートを互いに熱溶着することによって互いに接合してもよい。
【００５０】
また、本発明において、「収縮域による収縮作用が開口縁部まで」とは、上述したように、（１）収縮域５４が、バリアカフシート５０におけるカバーシート６０に積層された部分まで延びている場合は当然含まれるとともに、（２）図１１に示すように、収縮域５４の端部が、バリアカフシート５０とカバーシート６０との境界５９に一致する場合、及び（３）図１２に示すように、収縮域５４の端部が、バリアカフシート５０のカバーシート６０との積層部分７４まで延びておらず、境界５９の近傍であるが、バリアカフシート５０のみが存在する部分までしか延びていない場合が含まれる。
【００５１】
上記（３）の場合、本発明の上記作用・効果を奏するためには、（１），（２）の場合に比較してカフ弾性要素５３の収縮力を大きくしなければならず、例えば、カフ弾性要素５３として、太さ（線径）が約１２４０ｄｔｅｘであって、収縮または弛緩された状態から約１．５〜２．０倍に伸長されて固定された弾性材料を使用する必要がある。換言すれば（３）の場合には、（１），（２）の場合と比較して、カフ弾性要素５３は、太さが太く、より伸長した状態で固定された弾性材料を使用する必要がある。また、（３）の場合には、境界５９と収縮域５４の端部との縦方向Ｙの寸法Ｌ９は、０ｍｍより大きく、かつ約１５ｍｍ以下である。このように、上記（２）のように境界５９まで収縮域５４が延びる場合及び上記（３）のように収縮域５４が境界５９まで延びていない場合であっても、開口縁部に収縮域５４の収縮力が実質的に作用することによって、開口縁部を引き上げることができる。かかる効果を奏するために、既述のとおり、上記（３）の場合には、比較的に収縮力の大きいカフ弾性要素５３を用い、かつ、収縮域５４の端部から境界５９までの寸法Ｌ９が比較的小さい、上記範囲にあることが要件となる。以上のとおり、本実施形態のような上記（１）の態様においては、収縮域５４が開口縁部まで延存していることによってより確実に開口縁部を引き上げて拡げることができ、上記（２），（３）の態様であっても、収縮域５４の収縮力が開口縁部に実質的に作用することによって、開口を拡げることができる。
【００５２】
＜第２実施形態＞
図１３を参照すると、本実施形態においては、バリアカフシート５０が、中間域１３においてシール部１８においてのみならず、両側縁１０ｃ，１０ｄに沿って細長状に延びる近位固定部７９においても固定されている。このように、バリアカフシート５０が中間域１３においてシール部１８と近位固定部７９とにおいてパッド本体２０に固定されることから、立体カフの高さ寸法が小さくなる一方、バリアカフシート５０の剥離強度を向上させることができる。また、近位固定部７９の幅寸法は第２端域１２側から第１端域１１側へ向かって次第に小さくなっている。そのため、立体カフの高さ寸法は、第１端域１１側よりも第２端域１２側において高くなり、剥離強度を向上させるとともに、尿が上方から漏れ出るのを確実に防止することができる。
【００５３】
＜第３実施形態＞
図１４を参照すると、本実施形態において、尿取りパッド１０の中間域１３のバリアカフシート５０と第１及び第２カバーシート６１，６２に被覆されていない部分には、折曲誘導溝８０が配置される。折曲誘導溝８０は、身体側ライナ２１から吸液性コア２３に向かって圧搾された凹状のラインであって、縦軸Ｐに対して斜めに交差する第１溝８１と、第１溝８１と交差する方向へ延びる第２溝８２と、第１及び第２溝８１，８２よりも第１端縁１０a側に位置し、縦軸Ｐ上に位置する第１部分８３Ａと、縦軸Ｐに関して対称に位置し、かつ、それに傾斜して延びる第２部分８３Ｂとから構成された第３溝８３とを有する。本実施形態において、第１溝８１と第２溝８２との交差部分では溝が形成されておらず、第１及び第２溝８１，８２は非連続に形成される。
【００５４】
尿取りパッド１０の中間域１３は、折曲誘導溝８０を介して外方へ（着衣側へ）凸曲状に変形する。この変形により、凸曲変形域を形成する側壁及び底壁内に陰茎を包み込むように収容し得るカップ形状の収容スペースＳをより安定的に形成することができる。このように、中間域１３が凸曲変形域を形成してより安定的なカップ形状を有することによって、第１及び第２端域１１，１２が着用者の身体に向かって湾曲して、収縮域５４の寸法が縮められるので、バリアカフシート５０がさらに起立して第１及び第２空間部７２，７３の開口がより大きく形成される。特に、第３溝８３は、第１カバーシート６１の内側縁部６１ａ近傍まで延びているので、第３溝８３を介して第１端域１１が折曲されて内側縁部６１ａがより横軸Ｑに近づくので、第１空間部７２の開口がより大きく形成される。また、吸液性コア２３に折曲誘導溝８０が形成されることによって、排泄された尿を折曲誘導溝８０を介して吸液性コア２３の全体に移動、拡散させることによって、吸収速度を向上させることができる。
【００５５】
＜第４実施形態＞
図１５を参照すると、本実施形態において、尿取りパッド１０は、横方向Ｘへ延びる一対の折曲線８５，８６を有する。折曲線８５，８６は、尿取りパッド１０を折り畳んだ状態で保管したり、個包装袋に折り畳んだ状態で収容したりすることによって形成されるものであって、尿取りパッド１０を展開した状態（又は自然状態）であっても折り癖が付くものである。着用状態において、中間域１３は折曲線８５，８６に沿って湾曲し、折曲線８５，８６間には着衣側へ凸曲した変形域が形成される。また、折曲線８５，８６によって第１端域１１と第２端域１２とが折曲されて、収縮域５４の縦方向Ｙの寸法Ｌ２が縮められて、バリアカフシート５０がさらに起立するので、第１及び第２空間部７２，７３の開口が拡げられる。かかる効果を有する限りにおいて、折曲線８５，８６は少なくとも１つ形成されていればよい。
【００５６】
＜第５実施形態＞
図１６を参照すると、本実施形態においては、第１及び第２端域１１，１２側における吸液性コア２３の厚さ寸法が、中間域１３におけるそれよりも大きくなっている。このように、第１及び第２カバーシート６１，６２に被覆された部分の吸液性コア２３をより肉厚にして高吸収域を形成することによって、収容スペースＳから漏れ出ようとする尿を確実に吸収、保持することができる。具体的には、中間域１３に位置する吸液性コア２３の肉薄部９０の質量は約４００ｇ／ｍ２であって、第１及び第２端域１１，１２に位置する肉厚部９１の質量は約５００ｇ／ｍ２である。また、肉薄部９０と肉厚部９１との境界９２、すなわち、吸液性コア２３の厚さ寸法が変化する部分、において吸液性コア２３の剛性が変化するところ、境界９２近傍に第１及び第２カバーシート６１，６２の開口が位置し、第１及び第２端域１１，１２が境界９２に沿って折曲されることによって、収縮域５４の寸法Ｌ２が縮められて、バリアカフシート５０がより起立して、開口がより拡げられる。
【００５７】
＜第６実施形態＞
図１７を参照すると、本実施形態においては、シール部１８の幅寸法が中間域１３から第１端縁１０ａに向かうにつれて次第に大きくなっており、中間域１３におけるシール部１８の幅寸法Ｗ２よりも第１端縁１０ａにおける幅寸法Ｗ３が大きくなっている。このように、寸法Ｗ３が寸法Ｗ２よりも大きくなるように設定することによって、たとえ、第１空間部７２に尿が許容限度まで貯留されて被覆部７０が膨らみ、中央固定部６８が剥離しても、第１端縁１０ａにおけるシール部１８によって安定的にシールされ、尿が漏れ出るのを防止することができる。また、図示していないが、中央固定部６８とそれと縦方向Ｙにおいて対向する第１端縁１０ａのシール部１８とが連続するように、より広範囲の接合域を形成することによって、シール強度を向上させることができる。
【００５８】
以上に記載した本発明に関する開示は、少なくとも下記事項に整理することができる。
（１）縦方向及びそれに直交する横方向と、肌対向面及びその反対側の非肌対向面とを有し、吸液性コアを有するパッド本体を含む男性用の尿取りパッドにおいて、前記パッド本体は、前記縦方向において離間対向する第１及び第２端域と、前記横方向において離間対向する両側域と、前記両側域間に位置する中央域とを有し、前記第１及び第２端域のうちの少なくとも前記第１端域には前記中央域を被覆するカバーシートが配置され、前記両側域には、前記縦方向へ延びる一対のバリアカフシートが配置されており、前記バリアカフシートは、前記第１及び第２端域において前記パッド本体の前記肌対向面側に固定された両端固定部と、前記両端固定部間において前記縦方向へ延びる自由縁部とを有し、前記自由縁部は、前記縦方向へ伸縮可能な収縮域と、前記収縮域の前記縦方向の外側に位置する非収縮域とを有し、前記カバーシートは、非弾性のシート材料から形成されており、前記中央域を横断する内側縁部と、前記第１端域において前記バリアカフシートに固定された両固定側縁部と、前記両固定側縁部間に位置する前記パッド本体に固定された固定中央部と、前記両固定側縁部と前記固定中央部との間に画定された前記中央域を被覆する被覆部とを有し、前記被覆部と前記パッド本体との間には、前記カバーシートの前記内側縁部を開口縁部とする尿を収容可能な空間部が形成されており、前記収縮域による収縮作用が前記開口縁部まで及ぶことを特徴とする。
（２）縦方向及びそれに直交する横方向と、肌対向面及びその反対側の非肌対向面とを有し、吸液性コアを有するパッド本体を含む男性用の尿取りパッドにおいて、前記パッド本体は、前記縦方向において離間対向する第１及び第２端域と、前記横方向において離間対向する両側域と、前記両側域間に位置する中央域とを有し、前記第１及び第２端域のうちの少なくとも前記第１端域には前記中央域を被覆するカバーシートが配置され、前記両側域には、前記縦方向へ延びる一対のバリアカフシートが配置されており、前記バリアカフシートは、前記第１及び第２端域において前記パッド本体の前記肌対向面側に固定された両端固定部と、前記両端固定部間において前記縦方向へ延びる自由縁部とを有し、前記自由縁部は、前記縦方向へ伸縮可能な収縮域と、前記収縮域の前記縦方向の外側に位置する非収縮域とを有し、前記カバーシートは、非弾性のシート材料から形成されており、前記中央域を横断する内側縁部と、前記第１端域において前記バリアカフシートに固定された両固定側縁部と、前記両固定側縁部間に位置する前記パッド本体に固定された中央固定部と、前記両固定側縁部と前記中央固定部との間に画定された前記中央域を被覆する被覆部とを有し、前記被覆部と前記パッド本体との間には、前記カバーシートの前記内側縁部を開口縁部とする尿を収容可能な空間部が形成されており、前記収縮域は、少なくとも前記第２端域側の一端固定部と前記固定側縁部との間に位置することを特徴とする。
【００５９】
上記段落〔００５８〕に開示した本発明は、少なくとも下記の実施の形態を含むことができる。該実施の形態は、分離して又は互いに組み合わせて採択することができる。
（１）前記収縮域が、前記バリアカフシートにおける前記カバーシートに積層された部分まで延びており、前記バリアカフシートの前記非収縮域が、前記カバーシートの前記両固定側縁部に固定される。
（２）前記両固定側縁部において、前記カバーシートは前記バリアカフシートの前記肌対向面側に固定されている。
（３）前記パッド本体と前記バリアカフシートとは、前記第２端域から前記第１端域に向かって次第に幅狭となる形状を有する。
（４）前記パッド本体は、前記第２端域において前記バリアカフシートに固定された第２のカバーシートをさらに有する。
（５）前記カバーシートは、前記バリアカフシートに比してカンチレバー剛軟度による剛性が高い。
（６）前記バリアカフシートの前記収縮域には、ストリング状又はストランド状の弾性要素が取り付けられる。
（７）前記パッド本体は、前記縦方向における前記第１端域及び前記第２端域の間に位置する中間域と、前記肌対向面側に位置する透液性の身体側ライナと、前記中間域の前記バリアカフシートの前記内側縁部間において前記身体側ライナと前記吸液性コアと前記肌対向面側から前記非肌対向面側へ向かって凹とする折曲案内溝とをさらに有する。
（８）前記カバーシートの前記被覆部の前記縦方向における寸法は、前記パッド本体の前記縦方向における寸法の約５％以上であって、前記収縮域の前記縦方向における寸法は前記被覆部の前記縦方向における寸法の約５０％以下である。
（９）前記吸液性コアは、前記第１及び第２端域のうちの少なくとも前記第１端域において前記中間域よりも肉厚であって、前記第１端域と前記中間域との境界付近には前記吸液性コアの厚さ寸法が変化する部分が位置しており、前記カバーシートの前記開口縁部は前記厚さ寸法が変化する部分と対向して位置する。
（１０）前記横方向へ延びる少なくとも１つの折曲線をさらに有し、前記折曲線は前記バリアカフシートと交差し、前記カバーシートとは交差しない。
（１１）前記吸液性コアは、前記第２端域から前記第１端域に向かって次第に幅狭となる形状を有し、前記第１端域における前記吸液性コアの側縁と前記パッド本体の側縁との前記横方向における離間寸法は、前記第２端域における前記吸液性コアの側縁と前記パッド本体の側縁との離間寸法よりも大きい。
（１２）前記バリアカフシートは、前記中間域において前記パッド本体の両側縁に沿って延びる近位固定部をさらに有し、前記近位固定部は前記第２端域側の幅寸法が前記第１端域側の幅寸法よりも大きい。
【符号の説明】
【００６０】
１０      尿取りパッド
１１      第１端域
１２      第２端域
１３      中間域
１４      両側域
１５      中央域
２０      パッド本体
２１      身体側ライナ
２３      吸液性コア
５０      バリアカフシート
５３      カフ弾性要素（弾性要素）
５４      収縮域
５２      自由縁部
５５      非収縮域
５８      固定両端部
６１      第１カバーシート
６２      第２カバーシート
６１ａ    カバーシートの内側縁部
６２ａ    カバーシートの内側縁部
６６      固定側縁部
６７      固定側縁部
６８      中央固定部
７４      積層部分
７５      収縮域（高収縮域）
７６      非収縮域（低収縮域）
７９      近位固定部
８０      折曲誘導溝
Ｘ        横方向
Ｙ        縦方向
Ｚ        厚さ方向
【要約】
【課題】  体液の漏れ防止に優れ、所要量の体液を吸収しうるのに十分な大きさを有する収容スペースを備えた男性用尿取りパッドの提供。
【解決手段】  パッド本体２０は、縦方向Ｙにおいて離間対向する第１及び第２端域１１，１２と、横方向Ｘにおいて離間対向する両側域１４と、両側域間に位置する中央域１５とを有する。第１及び第２端域のうちの少なくとも第１端域１１には中央域を被覆するカバーシート６０が配置され、両側域には、縦方向へ延びる一対のバリアカフシート５０が配置されている。バリアカフシートは、第１及び第２端域においてパッド本体の肌対向面側に固定された両端固定部５８と、両端固定部５８間において縦方向へ延びる自由縁部５２とを有する。自由縁部は、縦方向へ伸縮可能な収縮域５４と、収縮域の縦方向の外側に位置する非収縮域５５とを有する。カバーシートは、非弾性のシート材料から形成されており、中央域を横断する内側縁部６１ａと、第１端域においてバリアシートに固定された両固定側縁部６６，６７と、両固定側縁部間に位置するパッド本体に固定された固定中央部６８と、両固定側縁部と固定中央部との間に画定された前記中央域を被覆する被覆部７０とをする。被覆部とパッド本体との間には、カバーシートの内側縁部を開口縁部とする尿を収容可能な空間部７２が形成されている。収縮域による収縮作用が開口縁部まで及ぶ。
【選択図】図２【図１】
0005433815.tif 000002
【図２】
0005433815.tif 000003
【図３】
0005433815.tif 000004
【図４】
0005433815.tif 000005
【図５】
0005433815.tif 000006
【図６】
0005433815.tif 000007
【図７】
0005433815.tif 000008
【図８】
0005433815.tif 000009
【図９】
0005433815.tif 000010
【図１０】
0005433815.tif 000011
【図１１】
0005433815.tif 000012
【図１２】
0005433815.tif 000013
【図１３】
0005433815.tif 000014
【図１４】
0005433815.tif 000015
【図１５】
0005433815.tif 000016
【図１６】
0005433815.tif 000017
【図１７】
0005433815.tif 000018